(57)【要約】【課題】基板ケースを不正に交換しようと企む者がその不正行為を行いにくくすることのできる遊技機を提供すること。【解決手段】遊技盤５の背面には機構盤が配置されている。この機構盤と一部重複するように基板取り付け用パネル１０が遊技盤５の背面に配置されている。基板取り付け用パネル１０の前面には基板ケース５３が配設され基板ケース５３から同パネル１０を挿通するロックピン５５によって同パネル１０にロック状態で接続されている。ロックピン５５のつまみ部５７はパネル１０の後面側に配置されて基板ケース５３前面側からは操作することはできない。そのため、同パネル１０をセットした状態では基板ケース５３を取り外すことはできない。更に同パネル１０の開放にあたって機構盤が邪魔となる。【選択図】　　　　図５
2004033603.tif 000002
【特許請求の範囲】
【請求項１】
制御基板を収納する基板ケースと、同基板ケースが装着されるとともに所定のベース体に対して開閉可能とされた基板ケース装着体とを備え、同制御基板によって遊技に関する所定の状態が制御されるようになった遊技機において、
前記基板ケースを前記ケース装着体に対して配設した状態で両者間を接続部材によって接続するとともに、同接続部材の接続解除部を同ケース装着体の前記ベース体と面した側部位置に配置するようにしたことを特徴とする遊技機。
【発明の詳細な説明】
【０００１】
【発明の属する技術分野】
本発明は、パチンコ遊技機やパチロット等のパチンコ球を使用する遊技機に関し、特に制御基板を収納する基板ケースを有する遊技機に関するものである。
【０００２】
【従来の技術】
例えばパチンコ球を使用する遊技機の一種であるパチンコ遊技機では遊技盤の裏面に制御基板が収納された基板ケースが配設されている。基板ケースはケース装着体としてのベースプレートに対して装着され、ベースプレートを遊技盤に固定させるようになっている。
ここに、制御基板はパチンコ遊技機の入賞確率等を制御するものであって、この基板を取り替えて確率を変えて不正遊技を行う等の不正行為が行われることがある。このようなことから基板ケース内部の制御基板を取り替えるという不正を防止するために基板ケースは封印されて制御基板のみを取り替えることが容易にできないような構造になっている。そのため、むしろ基板ケース自体を不正な制御基板を搭載したものとそっくり交換してしまうほうが面倒がないため「基板ケースの交換」という不正行為が問題となってきている。
【０００３】
【発明が解決しようとする課題】
一般に基板ケースの交換においてはパチンコ遊技機を開放し、裏面側を露出させた状態で素早く配線を抜き取り、基板ケースを取り外し、予め用意しておいた偽の基板ケースに配線を接続して元の位置に配置するという一連の行為が行われる。このため、パチンコ遊技機を開放し、裏面側を露出させたとしても容易には基板ケースを取り外しできないような工夫が必要とされる。例えば複数のカバーと封印手段で基板ケースに至るまでに面倒な工程を経るようなもの（特開平１１−２６７３２４号、特開平１１−２６７３２５号等）や鍵を取り付けたり（特開平９−２５３２８０号）するものが散見される。
しかし、これらはいずれも裏面側を露出させた状態でどのように基板ケースが固定されているか容易に理解できるものである。そして、裏面側を露出させれば直ちにその不正工作の作業が開始できるようになっている。そのため裏面側を露出させただけでは不正を企む者がすぐには不正を行えず、作業的にも心理的にもその不正行為を妨害できるような工夫が望まれていた。
本発明は、このような従来の技術に存在する問題点に着目してなされたものである。その目的とするところは、基板ケースを不正に交換しようと企む者がその不正行為を行いにくくすることのできる遊技機を提供することにある。
【０００４】
【課題を解決するための手段】
上記の目的を達成するために、請求項１に記載の発明では、制御基板を収納する基板ケースと、同基板ケースが装着されるとともに所定のベース体に対して開閉可能とされた基板ケース装着体とを備え、同制御基板によって遊技に関する所定の状態が制御されるようになった遊技機において、前記基板ケースを前記ケース装着体に対して配設した状態で両者間を接続部材によって接続するとともに、同接続部材の接続解除部を同ケース装着体の前記ベース体と面した側部位置に配置するようにしたことをその要旨とする。
【０００５】
請求項１の発明のような構成では、基板ケースとケース装着体とは接続部材を介して装着させられる。接続部材の接続解除部はケース装着体のベース体と面した側部位置に配置される。従って、ケース装着体をベース体に対して開放させない限り接続解除部は基板ケース側からは正視できず、接続解除部を操作して基板ケースをケース装着体から取り外すこともできない。基板ケースをケース装着体から取り外すためには一旦ケース装着体をベース体に対して開放させ、ケース装着体のベース体と面した側部を露出させて接続解除部を操作しなければならない。
【０００６】
【発明の効果】請求項１に記載の発明では、基板ケースはケース装着体に対して装着し、かつケース装着体を所定のベース体に対して取り付けた状態では接続部材の接続解除部をケース装着体をベース体に対して開放させないと操作することができないため、基板ケースの不正交換作業からの防御となる。
【０００７】
【発明の実施の形態】
以下、本発明をパチンコ遊技機に応用した実施の形態について図面に基づいて説明する。まず、図１及び図２に基づいてパチンコ遊技機の概略を説明する。
図１に示すように、パチンコ遊技機の支持枠体としての外枠１は上下左右の各枠板１ａ〜１ｄによって四角形に枠組みされた木製の枠体とされている。
外枠１には遊技機本体としてのパチンコ機本体４が装着されている。パチンコ機本体４はパチンコ遊技機の構造的な中核を形成するパネル状の構成部材である。図２に示すように、パチンコ機本体４を中心としてその他のパネル状の構成部材がその前後方向に積層状に配置されている。
パチンコ機本体４の上半身に形成された遊技盤取り付けスペース４ａには遊技盤５が嵌合されている。遊技盤５には可変表示装置６が配設されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。遊技盤５の後方位置には機構盤９とケース装着体としての基板取り付け用パネル１０とが配設されている。機構盤９及び基板取り付け用パネル１０については後述する。基板取り付け用パネル１０の直下には基板プレート１１が配設されている。基板プレート１１には発射基板、電源基板、払い出し基板の各ケース１２〜１４が搭載されている。
遊技盤５の下方位置にはカバープレート１５が配設されている。カバープレート１５はパチンコ機本体４に対して固着されている。カバープレート１５には前方に突出形成した下受け皿１６が形成されている。下受け皿１６の右側方には操作ハンドル１７が取付けられている。
【０００８】
次に、図１、図３〜図１４に基づいて遊技盤５の背面側に配置される機構盤９及び基板取り付け用パネル１０周辺の構成について説明する。
まず、パネル体としての遊技盤５の概略について説明する。図３、図５及び図８に示すように、本実施の形態の遊技盤５は木製の略正方形形状の板体より本体部が構成されており、中央位置に前記可変表示装置６が配設される大型の第１の透孔２１が配設されている。第１の透孔２１の左右には入賞球の通路となる第２の透孔２２が形成されている。第１の透孔２１の下方には第一種始動口と連通する第３の透孔２３が形成されている。第３の透孔２３の下方には大入賞口と連通する第４の透孔２４が形成されている。図８に示すように、遊技盤５の前面（つまり遊技面９）側から導入されたパチンコ球（入賞球）は矢印のような経路で下流に送られることとなる。
遊技盤５の裏面にはプラスチック製の集合板ユニット２５が配設されている。集合板ユニット２５は薄板状の枠体であって、中継端子板２６や外部端子板２７（図１参照）の中継基板等を装着する際のベースとなったり各種配線を導く配線支持体となったり、あるいは基板取り付け用パネル１０の装着に関与するものである。
【０００９】
次にパネル体としての機構盤９について説明する。尚、以下の説明において左右とは図１における左右方向をいい、前方とは同図における手前側、後方とは同図における奧側をいう。つまり、前方とは遊技盤５を基準とするとその背面側（図８の面側）となる。
図１及び図４に示すように、遊技盤５の背面側には機構盤９がパチンコ機本体４に対して着脱可能に装着されている。図３に示すように、機構盤９は逆Ｌ字状のベース３０を備えている。ベース３０は上部横架部３０ａと上部横架部３０ａの右端から下方に下降する下垂部３０ｂとから構成されている。上部横架部３０ａ前面にはタンク３１及びタンクレール３２が装着され、下垂部３０ｂ前面には払い出し機構としての払い出しユニット３３が装着されている。タンクレール３２側面には球詰まりを防止するためのバイブレータ３４が配設されている。タンクレール３２の下方にはカバー３５が配設されている。
ベース３０にはその下垂部３０ｂ右端に上下一対の掛止ピン３６が形成されており、図１に示すパチンコ機本体４側の軸受け金具３７に対して係合されている。ベース３０の上部横架部３０ａの左端及びカバー３５の左下端寄りには開閉ピン３８が装着されている。従って、機構盤９はパチンコ機本体４に対して掛止ピン３６によって開閉可能に片持ち支持されるとともに同開閉ピン３８の引き出し及び押し込みによって着脱されるようになっている。
【００１０】
図１、図３及び図５に示すように、遊技盤５の背面側にはパネル体としての基板取り付け用パネル１０が遊技盤５をベース体としてその背面位置に配設されている。図５、図６及び図８等に示すように、基板取り付け用パネル１０は左右に配置された本体部１０ａと本体部１０ａの左方に配置された立設部１０ｂとから構成された略Ｌ字状の形状とされている。本体部１０ａは長方形形状の取り付け板４０と、同取り付け板４０を包囲する左右壁部４１ａ，４１ｂ及び底部４２によって形成された浅い箱状の外形形状をなしており、上方に切り欠き部４３が形成されている。取り付け板４０の裏面には補強リブ４４が縦横に形成されている。取り付け板４０の上部から前方に向かって軒板４５が張り出し形成されている。軒板４５から取り付け板４０の上部寄りにかけての左右２箇所位置に掛止口４６が透設されている。取り付け板４０の下部寄り左右２箇所位置には長方形の透孔４７が形成されている。透孔４７の裏面側には透孔４７を取り巻くように異形の補強リブ４４ａが形成されている。
図６に示すように、取り付け板４０の前面であって透孔４７の下部位置には前方に張り出した棚部４８が形成されており、同棚部４８の左右２箇所位置には更に前方に突起する係合爪５２が形成されている。係合爪５２は取り付け板４０位置を基部として自身の弾性力によって上下方向に撓むことが可能である。係合爪５２は先端寄りが先細りとなるテーパ状に形成され、最先端から若干後退した上部位置に切り欠き状の係合段部５２ａが形成されている。右壁部４１ｂには右方に突出した膨出部４９が形成され、同膨出部４９の上下位置にはそれぞれ開閉ピン５０が配設されている。開閉ピン５０は前記遊技盤５の集合板ユニット２５に形成されたキャッチ部５１に挿入されて係合されるようになっている。
【００１１】
取り付け板４０の前面には主基板ケース５３が着脱可能とされている。図３や図９等に示すように、主基板ケース５３は扁平な直方体形状の封印された箱体であって、遊技全般の制御や入賞確率等の制御を行う図示しない制御基板が配設されている。主基板ケース５３の上部２箇所には係合突起５４が左右２箇所に形成され、前記掛止口４６と係合可能とされている。主基板ケース５３の背面板５３ａには接続部材としてのロックピン５５が配設されている。図１２（ａ）〜（ｃ）に示すように、ロックピン５５は背面板５５ａから突出された軸部５６と、同軸部５６の先端に形成されたつまみ部５７と、つまみ部５７の基部に形成された回動規制部５８とより構成されている。ロックピン５５に隣接する背面板５３ａ表面には規制体５９が立設されており、図１２（ａ）及び（ｂ）に示すように、ロックピン５５は回動規制部５８が規制体５９に当接して回動が規制されることで９０度の位相差内において回動するようになっている。
立設部１０ｂは略長方形形状の板体であって、図６に示すようにその表側（パチンコ遊技機設置状態では裏面側）の段違いに形成された取り付け部６０には音声ランプ制御基板ケース６１が配設されている。同基板ケース６１内にはパチンコ遊技機の遊技の進行に伴って発せられる効果音やランプの発光タイミング等の制御をする図示しない制御基板が配設されている。図３及び図５に示すように、立設部１０ｂの上端には四角形形状に開口した係合枠６２が形成されている。係合枠６２は遊技盤５側の集合板ユニット２５に形成された係合突起６３が基板取り付け用パネル１０が遊技盤５の背面にセットされた状態で嵌合されるようになっている。
図７に示すように、立設部１０ｂの左端には上下一対の掛止ピン６４が形成されている。掛止ピン６４は遊技盤５の集合板ユニット２５に対して固着された軸受け金具６５に対して係合されている。
【００１２】
次に、基板取り付け用パネル１０への主基板ケース５３の着脱についてその作用を説明する。
まず、主基板ケース５３の装着作業について説明する。尚、パチンコ遊技機はパチンコ機本体４をパチンコホールの島に設置された外枠１に対して回動させて裏面側を遊技者側に露出させた状態にあるものとする。
図９、図１３（ａ）及び図１４（ａ）に示すように、主基板ケース５３を基板取り付け用パネル１０の取り付け板４０に対面させる。尚、この状態では主基板ケース５３の背面板５３ａに形成されたロックピン５５は図９及び図１２（ａ）に示すようにつまみ部５７が水平に寝た状態にある。
次いで図１３（ｂ）に示すように、主基板ケース５３の係合突起５４を掛止口４６に挿入させるとともに主基板ケース５３全体を取り付け板４０に向かって押圧する。すると、図１３（ｃ）に示すように係合爪５２が主基板ケース５３に押動されて一旦撓むとともに復帰して図１３（ｄ）に示すように係合段部５２ａによって主基板ケース５３を下方位置で保持する。また、この状態で主基板ケース５３は軒板４５と棚部４８との間で挟持されることとなる。この段階で主基板ケース５３は一応取り付け板４０前面に仮装着されることとなる。
このように主基板ケース５３が取り付け板４０前面に配置された状態において、図１０及び図１４（ｂ）に示すように、主基板ケース５３の背面板５３ａから取り付け板４０の透孔４７の通過が許容されてロックピン５５が取り付け板４０の裏面側に露出される。そして、ロックピン５５のつまみ部５７を回動させると回動規制部５８が透孔４７周囲に形成した補強リブ４４ａの後端縁と係合する（図１１及び図１２（ｂ）の状態）。
【００１３】
この段階で主基板ケース５３は取り付け板４０前面にしっかりと装着される。つまり主基板ケース５３はロックピン５５のつまみ部５７が透孔４７周縁と干渉しているため取り出すことはできない。この状態をロック状態とする。
このように主基板ケース５３を装着した後、この基板取り付け用パネル１０を遊技盤５に対する所定の取り付け位置に配置する。すなわち、基板取り付け用パネル１０を左端位置の掛止ピン６２を中心として閉じる方向に回動させ、開閉ピン５０を遊技盤５側のキャッチ部５１に挿入して固定する（遊技盤５に対しては図３の状態となる）。次いで、この基板取り付け用パネル１０と重複するように機構盤９を配置する。すなわち、機構盤９を右端位置の掛止ピン３６を中心として閉じる方向に回動させ、開閉ピン３８をパチンコ機本体４側のキャッチ部（図示はなし）に挿入して固定する。
この状態で、図１に示すように基板取り付け用パネル１０の音声ランプ制御基板ケース６１がちょうどカバー３５の背後に隠されることとなり、更にカバー３５はちょうど主基板ケース５３の上部位置に両者間にほとんど隙間ができないように配置される。つまり機構盤９と基板取り付け用パネル１０とは観音開きに開放され、閉じた状態において両者は部分的に交差（機構盤９が表側）するような配置とされる。
このように機構盤９と基板取り付け用パネル１０を正しく装着した状態においてパチンコ機本体４を反転させて外枠１に嵌合（つまり遊技者側から見えないようにする）し。扉枠７をパチンコ機本体４に対して装着する。
【００１４】
次に、完全に閉じた状態のパチンコ遊技機からこの主基板ケース５３にアクセスする場合には、まず鍵にて扉枠７を開放し、図示しない操作レバーを操作してパチンコ機本体４を外枠１に対して回動させて遊技者側に裏面側を露出させる。そして、まず機構盤９を開放する。機構盤９を開放することで基板取り付け用パネル１０の開放が可能となるため、ここで基板取り付け用パネル１０を開放して取り付け板４０の裏面側を露出させる（遊技盤５に対しては図５の状態となる）。そして、露出された取り付け板４０の裏面側に現れたロックピン５５のつまみ部５７を操作して図１０及び図１２（ａ）の状態とする。そして、ロック状態の解除された主基板ケース５３を図１３（ａ）〜（ｄ）の逆の操作に従って取り外す。
【００１５】
このように構成することで本実施の形態では次のような効果を奏する。
（１）基板取り付け用パネル１０を開放しない限りつまみ部５７を触ることができずロックピン５５を解除することができないため、主基板ケース５３の交換をすることができない。すなわち、不正に主基板ケース５３を交換しようと思った者が、パチンコ遊技機の裏面側を露出させ得たとしても、さらに基板取り付け用パネル１０を回動させなくては基板取り付け用パネル１０に装着された主基板ケース５３を取り外すことはできないこととなる。つまり、作業的に面倒であるとともに基板取り付け用パネル１０までも開放しなければならないという大げさな作業が心理的に不正な作業をしにくくすることとなって、主基板ケース５３の不正交換作業からの防御となる。
更に、一見して基板取り付け用パネル１０に装着された主基板ケース５３の着脱機構が目視できないため、不正作業者に戸惑いを与える効果もある。
（２）基板取り付け用パネル１０の前方には機構盤９が交差してかつ重複状に配設されている。そのため、基板取り付け用パネル１０の開放の前提として機構盤９も開放させなくてはならない。すなわち、主基板ケース５３の交換をするために単にパチンコ遊技機の裏面を露出させるだけではなく、あたかもいくつかのパネル体を剥がすようにして作業しなければ主基板ケース５３に行き着かないこととなり、作業的に面倒であるとともにやはり心理的に不正な作業をしにくくすることとなって、主基板ケース５３の不正交換作業からの防御となる。
（３）基板取り付け用パネル１０の前方に配置された機構盤９のカバー３５はちょうど主基板ケース５３の上方位置にほぼ隙間なく配置されるようになっている。従って、機構盤９を開放することなく主基板ケース５３と取り付け板４０との装着状況を目視することはできず、また指や工具を差し入れることもできないため、主基板ケース５３の不正交換作業からの防御となる。
（４）取り付け板４０は補強リブ４４や左右壁部４１ａ，４１ｂ及び底部４２によって補強されており、主基板ケース５３側のロックピン５５を挿通させるために透孔４７を取り付け板４０に形成しても取り付け板４０の強度低下なく主基板ケース５３を保持することが可能となる。
（５）機構盤９の回動中心は図１に示すように掛止ピン３６で支持された右側であり、基板取り付け用パネル１０の回動中心は図７に示すように掛止ピン６２で支持された左側であり、両パネル体はそれぞれ取り付け位置が左右に分かれている。そのため、上記のように重ね合わせる際に嵩張らずに配置することが可能となっている。
【００１６】
尚、この発明は、次のように変更して具体化することも可能である。
・上記実施の形態では主基板ケース５３はロック状態、つまり容易に取り外せない状態にあったが、主基板ケース５３のみではなく基板取り付け用パネル１０自体も容易に開放できないロック状態とすることも可能である。
例えば、図１５に示すように、開閉ピン５０とキャッチ部５１との関係ではなく取り付け板４０の端部に形成したキー取り付け部７１と遊技盤５側の取り付け部７２とをキー装置７３によって連結し、キー７４によって解錠するようにすることも可能である。このような構成とすれば更に基板ケースの不正交換が行いにくくなる。
・更に、機構盤９の開閉ピン３８に変えてこれもキー装置によってパチンコ機本体４に対してロック状態とすることができるようにしてもよい。このようにすれば更に基板ケースの不正交換の防止となる。
・上記実施の形態では取り付け板４０の裏面に指や工具が挿入できないように機構盤９のカバー３５がちょうど配置されるようになっていたが、このような不正を防止する防御壁を基板取り付け用パネル１０自体に装着するようにしてもよい。例えば取り付け板４０に上方へ大きく張り出す張り出し部を形成するようにしてもよい。
・接続手段として上記実施の形態ではロックピン５５を設けるように構成したが、ロックピン５５以外の手段でもよい。例えば図１６に示すように主基板ケース５３の背面板５３ａから後方に向かってボルト７５を延出させ、取り付け板４０の透孔４７を挿通させられた先端側にナット７６を装着し、これらボルト７５及びナット７６によって取り付け板４０と背面板５３ａとを共締めすることで主基板ケース５３を基板取り付け用パネル１０に対してロックさせるようにしてもよい。このようなロック手段であれば、さらに主基板ケース５３を取り外しにくくなるため不正行為の妨害としては有効である。
・上記実施の形態では基板取り付け用パネル１０に対して主基板ケース５３をロックして基板取り付け用パネル１０を遊技盤５に対して開放しないとこのロックを解除できないように構成したが、その他の基板ケースについても応用するようにしてもよい。
・上記機構盤９全体あるいは機構盤９の開閉ピン３８を含む一部を覆う保護カバーを装着するようにしてもよい。このようにすれば、保護カバーを取り外さなければ機構盤９を開放することができず、ひいては基板取り付け用パネル１０を開放することができないため、主基板ケース５３の不正交換の防御策として有効である。この保護カバーには上記のようなキー装置によってキーを持たない者が取り外しできない（ロック状態）ようにしてもよい。
・図１９に示すように、主基板ケース５３裏面側にはブラケット７７が突設されている。主基板ケース５３を上記実施の形態の基板取り付け用パネル１０に装着した状態でブラケット７７は基板取り付け用パネル１０側の透孔７８内に配置される。この時、基板取り付け用パネル１０裏面側から図２０に示す接続部材としてのロック金具７９をブラケット７７に取り付けるようにしてもよい。ロック金具７９は合金製の薄板体からなる本体７９ａとボルト７９ｂ及びナット７９ｃより構成されている。図１９のようにロック金具７９の本体７９ａをブラケット７７に挿通させてボルト７９ｂ及びナット７９ｃで抜け落ちないように固定してしまえば透孔７８周縁に干渉するため主基板ケース５３はロック状態とされる。このようにして主基板ケース５３を基板取り付け用パネル１０にロック状態に接続するようにしてもよい。つまり、上記各実施の形態と異なり接続部材を基板取り付け用パネル１０側に設けるようにしてもよい。
尚、単に透孔７８周縁に干渉させるだけであれば必ずしもボルト７９ｂ及びナット７９ｃで抜け落ちないように固定する必要はない。
【００１７】
・図１７（ａ）及び（ｂ）に示すように、基板取り付け用パネル１０を機構盤９に開閉可能に装着し、これら基板取り付け用パネル１０と機構盤９とをそれぞれ連通する透孔８１，８２に対して主基板ケース５３側のロックピン５５を挿通して主基板ケース５３を基板取り付け用パネル１０だけでなく機構盤９に対してもロックピン５５によってロック状態に接続するようにしてもよい。
機構盤９はパチンコ機本体４に対して回動軸８３を中心に回動可能とされ、開閉ピン８４によってセットされるようになっている。この機構盤９に対して基板取り付け用パネル１０が機構盤９の開放方向とは逆に開放されるように回動軸８５によって軸支されている。
基板取り付け用パネル１０に形成された第１の透孔８１は図１８（ａ）に示すように、水平方向に寝かされたロックピン５５のつまみ部５７の通過を許容できるように横長の長方形形状とされている。一方、機構盤９に形成された第２の透孔８２は図１８（ｃ）に示すように、縦方向に立設されたロックピン５５のつまみ部５７の通過を許容できるように縦長の長方形形状とされている。
これら透孔８１，８２は機構盤９に基板取り付け用パネル１０を密着させた状態で図１８（ｃ）及び（ｄ）に示すように十字状に交差して配置されることとなる。
このような構成において、主基板ケース５３を装着する場合は、まず、１７（ｂ）のように開放された状態の取り付け用パネル１０に対してロックピン５５のつまみ部５７が第１の透孔８１の通過を許容できるように、つまり図１８（ａ）のような位置関係となるようにして取り付け用パネル１０の前面に配置する。そして、つまみ部５７が第１の透孔８１と干渉するように、つまり立設状態となるように回動させる（図１８（ｂ））。この段階で主基板ケース５３はロックピン５５のつまみ部５７が第１の透孔８１と干渉して邪魔となるため取り付け用パネル１０から脱落することはない。
次いで、更に、取り付け用パネル１０の裏面に露出したロックピン５５を機構盤９の第２の透孔８２に挿通させる。このとき、立設状態にあるロックピン５５のつまみ部５７は第２の透孔８２と干渉することはない。そして、第２の透孔８２を通過した状態で図１８（ｄ）のように再びつまみ部５７を水平方向に寝かせて第２の透孔８２の周縁８７と係合させる。これによって、主基板ケース５３がロック状態に取り付け用パネル１０及び機構盤９に装着されることとなる。ついで、図１７（ａ）のように機構盤９をセットする。
このように構成すれば主基板ケース５３の不正交換の作業をする場合にはまず、機構盤９を開放しなければならず、更に機構盤９に対してロックピン５５を操作して取り付け用パネル１０を外してからでなければ主基板ケース５３を取り外すことはできないため、作業としてはかなり面倒となる。加えて、開放方向が取り付け用パネル１０と機構盤９とで逆方向であるため両者を大きく開放しないと作業しにくいため心理的にも抑止効果が働く。
尚、上記のように機構盤９をパチンコ機本体４に対してキー装置によってロックしてしまうことも可能である。また、取り付け用パネル１０及び機構盤９の開放方向は同方向でもよい。
【００１８】
・本発明は他の遊技機、例えばスロットマシンやパチンコ遊技機とスロットマシンとを融合させたいわゆるパチロットに応用するようにしてもよい。
ここに、スロットマシンの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは所定時間経過することにより、識別情報の動的表示が停止され、その停止時の確定識別情報が特定識別情報であることを必要条件として、遊技者に有利な特別遊技状態を発生させる特別遊技状態発生手段を備えたものが挙げられる。この場合遊技媒体はコイン、メダル等が代表例として挙げられる。
また、パチロットの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは所定時間経過することにより、識別情報の動的表示が停止され、その停止時の確定識別情報が特定識別情報であることを必要条件として、遊技者に有利な特別遊技状態を発生させる特別遊技状態発生手段を備え、遊技媒体としては球を使用するとともに、前記識別情報の動的表示の開始に際しては所定数の球を必要とし、特別遊技状態の発生に際しては多くの球が払い出されるように構成したものが挙げられる。
その他、本発明の趣旨を逸脱しない態様で実施することは自由である。
【００１９】
本発明の目的を達成するために上記実施の形態から把握できるその他の技術的思想について下記に付記として説明する。
（１）前記接続部材を基板ケース側に配設したことを特徴とする請求項１に記載の遊技機。
これによって基板ケース装着体側の構成が簡略化する。
（２）前記接続部材を基板ケース装着体側に配設したことを特徴とする請求項１に記載の遊技機。
これによって基板ケース側の構成が簡略化する。上記実施の形態では図１９が対応する。
（３）前記基板ケースは基板ケース装着体との間で接続部材によって接続されるとともに、同接続部材によって前記ベース体との間においても接続されていることを特徴とする請求項１若しくは付記１又は２に記載の遊技機。
これによって基板ケースの取り外しが面倒になって、より基板ケースの不正交換の防御機能が高まる。上記実施の形態では図１７が対応する。
（４）前記接続部材は前記基板ケースと基板ケース装着体との間での同接続部材の接続解除を同基板ケース装着体背面側からのみ可能とするとともに、前記ベース体との接続解除を同ベース体背面側からのみ可能としたことを特徴とする付記３に記載の遊技機。
これによって基板ケース装着体背面側とベース体背面側の２箇所でそれぞれ接続解除を行わなければ基板ケースの取り外しができなくなるため、より基板ケースの不正交換の防御機能が高まる。
（５）　前記ベース体は背面に機構盤が配設されている遊技盤であって、前記ケース装着体は同遊技盤の背面に配置されるとともに、前記接続解除部は同ケース装着体と同遊技盤の背面との間に配置されることを特徴とする請求項１若しくは付記１〜４のいずれかに記載の遊技機。
遊技盤の背面には機構盤が存在するため機構盤と基板ケース装着体とが交錯して基板ケース装着体を開放しにくくなっている。すなわち機構盤が基板ケース装着体の開放防御機能を果たすこととなっている。
（６）　前記機構盤は開放可能に前記遊技盤背面に配設され、セット状態において同機構盤は前記ケース装着体の開放時に干渉する位置に配置されることを特徴とすることを特徴とする付記５に記載の遊技機。
これによって機構盤を開放しなければ基板ケース装着体を開放することができないため、より基板ケースの不正交換の防御機能が高まる。
（７）前記機構盤の全域あるいは一部を保護部材にて包囲したことを特徴とする付記５又は６に記載の遊技機。
これによって保護部材を取り外さなければ機構盤を開放することができず、ひいては基板ケース装着体を開放することができないため、基板ケースの不正交換の防御策として有効である。
（８）前記保護部材はロック部材によって取り外し不能に配設されていることを特徴とする付記７に記載の遊技機。
このような構成では、ロック部材（例えばキーがなければ開錠できないキー装置のようなもの）によって保護部材が容易に開放できないため、機構盤を開放することができず、ひいては基板ケース装着体を開放することができないため、基板ケースの不正交換の防御策として有効である。
（９）前記機構盤と基板ケース装着体は前記遊技盤の背面にセットされた状態で同機構盤が同基板ケース装着体の前面位置に交差状に配置されるとともに、それぞれ逆方向に回動して開放されるようになっていることを特徴とする付記５〜８のいずれかに記載の遊技機。
これによって先に機構盤を退避させなければ基板ケース装着体を開放させることができないため、基板ケースの不正交換の防御策として有効である。
（１０）前記ベース体は機構盤であって、前記ケース装着体は同機構盤の背面に配置されるとともに、前記接続解除部は同ケース装着体と同機構盤との間に挟持状態で配置されることを特徴とする請求項１若しくは付記１〜４のいずれかに記載の遊技機。
（１１）前記機構盤の全域あるいは一部を保護部材にて包囲したことを特徴とする付記１０に記載の遊技機。
これによって保護部材を取り外さなければ機構盤を開放することができず、ひいては基板ケース装着体を開放することができないため、基板ケースの不正交換の防御策として有効である。
（１２）前記保護部材はロック部材によって取り外し不能に配設されていることを特徴とする付記１１に記載の遊技機。
このような構成では、ロック部材（例えばキーがなければ開錠できないキー装置のようなもの）によって保護部材が容易に開放できないため、機構盤を開放することができず、ひいては基板ケース装着体を開放することができないため、基板ケースの不正交換の防御策として有効である。
（１３）前記ベース体は遊技機本体であって、前記ケース装着体は同遊技機本体の背面に配置されるとともに、前記接続解除部は同ケース装着体と同遊技機本体の背面との間に配置されることを特徴とする請求項１若しくは付記１〜４のいずれかに記載の遊技機。
（１４）前記機構盤はロック部材によって取り外し不能に配設されていることを特徴とする付記３〜１３のいずれかに記載の遊技機。
このような構成では、ロック部材（例えばキーがなければ開錠できないキー装置のようなもの）によって機構盤が容易に開放できないため、結果として基板ケース装着体を開放できないため基板ケースを取り外すことができないこととなるため、基板ケースの不正交換の防御策として有効である。
（１５）前記基板ケース装着体はロック部材によって取り外し不能に配設されていることを特徴とする付記３〜１４のいずれかに記載の遊技機。
このような構成では、ロック部材（例えばキーがなければ開錠できないキー装置のようなもの）によって基板ケース装着体自体が容易に開放できないため、基板ケースを取り外すことができず、基板ケースの不正交換の防御策として有効である。
（１６）　前記基板ケース装着体の前面には不正工作作業を妨害するための防御壁を配設したことを特徴とする付記３〜１５のいずれかに記載の遊技機。
これによって不正工作作業、例えば指や工具を差し入れることができないため、基板ケースの不正交換の防御となる。
（１７）前記基板ケース装着体は隣接する他の構成部材によって不正工作者のアクセスを妨害する妨害手段が施されていることを特徴とする付記３〜１６のいずれかに記載の遊技機。
これによって不正工作作業、例えば指や工具を差し入れることができないため、基板ケースの不正交換の防御となる。
【００２０】
【図面の簡単な説明】
【図１】本発明の実施の形態のパチンコ遊技機の背面図。
【図２】同じパチンコ遊技機の分解側面図。
【図３】同じパチンコ遊技機の遊技盤に基板取り付け用パネルを装着した状態の斜視図。
【図４】機構盤の斜視図。
【図５】図３において基板取り付け用パネルを開放した状態の斜視図。
【図６】同じ基板取り付け用パネルの本体部と立設部からなるベース板の斜視図。
【図７】同じ基板取り付け用パネルの立設部左端の要部拡大図。
【図８】機構盤の背面図。
【図９】同じ基板取り付け用パネルと主基板ケースとの分解斜視図。
【図１０】同じ基板取り付け用パネルにおいて主基板ケースを仮装着した状態の斜視図。
【図１１】同じ基板取り付け用パネルにおいて主基板ケースをロックした状態の斜視図。
【図１２】（ａ）はロックピンの非ロック状態の正面図、（ｂ）はロックピンのロック状態の正面図、（ｃ）はロックピンの側断面図。
【図１３】（ａ）〜（ｄ）は基板取り付け用パネルにおいて主基板ケースを基板取り付け用パネル（本体部）に仮装着する一連の説明図。
【図１４】（ａ）〜（ｃ）は基板取り付け用パネルにおいて主基板ケースを基板取り付け用パネル（本体部）に対してロック状態とする一連の説明図。
【図１５】他の実施の形態において基板取り付け用パネルをロックした状態の説明図。
【図１６】他の実施の形態における取り付け板に対する主基板ケースのロック手段を説明する説明図。
【図１７】他の実施の形態における主基板ケースの取り付け状態の構成を説明する概念図であって（ａ）はセット状態（ｂ）は開放状態。
【図１８】（ａ）〜（ｄ）は図１７において主基板ケースのロック部材の
【図１９】他の実施の形態における主基板ケースの取り付け状態の構成を説明する概念図。
【図２０】図１９に使用するロック金具の斜視図。
操作手順を説明する一連の説明図。
【符号の説明】
５…遊技盤、９…機構盤、１０…基板ケース装着体としての基板取り付け用パネル、１０ａ…ケース装着体としての本体部、５３…基板ケースとしての主基板ケース、５５…接続部材としてのロックピン、５７…接続解除部としてのつまみ部、７９…接続部材としてのロック金具。
【図１】
2004033603.tif 000003
【図２】
2004033603.tif 000004
【図３】
2004033603.tif 000005
【図４】
2004033603.tif 000006
【図５】
2004033603.tif 000007
【図６】
2004033603.tif 000008
【図７】
2004033603.tif 000009
【図８】
2004033603.tif 000010
【図９】
2004033603.tif 000011
【図１０】
2004033603.tif 000012
【図１１】
2004033603.tif 000013
【図１２】
2004033603.tif 000014
【図１３】
2004033603.tif 000015
【図１４】
2004033603.tif 000016
【図１５】
2004033603.tif 000017
【図１６】
2004033603.tif 000018
【図１７】
2004033603.tif 000019
【図１８】
2004033603.tif 000020
【図１９】
2004033603.tif 000021
【図２０】
2004033603.tif 000022